(57)【要約】【課題】ＰＴＭサービスタイムフレームにＧＰＲＳ一時中止セグメント区間を周期的に挿入し、ＰＴＭ進行単位時間にはＧＰＲＳパケットデータを送受信し、ＧＰＲＳ一時中止セグメント区間ではＧＳＭページングを受信してＧＳＭサービスを行えるようにすることにより、ＮＭＯ−２をサポートするＧＰＲＳネットワークにおいて移動通信端末機がＧＰＲＳサービスとＧＳＭサービスを同時に処理できる、移動通信端末機のＧＰＲＳパケットデータの送受信とページングの同時処理方法を提供する。【解決手段】移動通信端末機のパケットデータの送受信とページングの同時処理方法は、パケットデータの送受信をサポートする移動通信端末機において、パケットデータの送受信中、特定セグメントを周期的に挿入して、特定セグメント区間でパケットデータの送受信を一時中止し、基地局からのページングを受信する。【選択図】図２
2006191640.tif 000002
【特許請求の範囲】
【請求項１】
パケットデータの送受信をサポートする移動通信端末機において、
パケットデータの送受信中、特定セグメントを周期的に挿入して、前記特定セグメント区間でパケットデータの送受信を一時中止し、基地局からのページングを受信することを特徴とする移動通信端末機のパケットデータの送受信とページングの同時処理方法。
【請求項２】
前記特定セグメントが、ＧＰＲＳ一時中止セグメントを含み、前記パケットデータの送受信が、ＰＴＭサービスタイムフレームを用いて行われることを特徴とする請求項１に記載の移動通信端末機のパケットデータの送受信とページングの同時処理方法。
【請求項３】
前記パケットデータの送受信中の特定セグメントの挿入が、前記ＧＰＲＳ一時中止セグメントを前記ＰＴＭサービスタイムフレームに挿入することを示すことを特徴とする請求項２に記載の移動通信端末機のパケットデータの送受信とページングの同時処理方法。
【請求項４】
前記ＧＰＲＳ一時中止セグメントを前記ＰＴＭサービスタイムフレームに挿入する方法が、
ＰＴＭ進行単位時間が経過すると、ＧＰＲＳ一時中止命令を用いて前記パケットデータのＰＴＭ進行を一時中止し、ＧＰＲＳ一時中止タイマを駆動する過程と、
前記特定セグメント区間が経過すると、ＧＰＲＳ再開命令を用いて前記パケットデータのＰＴＭ進行を再開する過程と、
を含むことを特徴とする請求項３に記載の移動通信端末機のパケットデータの送受信とページングの同時処理方法。
【請求項５】
前記パケットデータの送受信のためのＰＴＭサービスタイムフレームが、前記ＰＴＭ進行単位時間の間に前記ＧＰＲＳ一時中止セグメント区間を含み、前記ＰＴＭ進行単位時間が、前記ＧＰＲＳ一時中止セグメント区間より大きいことを特徴とする請求項４に記載の移動通信端末機のパケットデータの送受信とページングの同時処理方法。
【請求項６】
前記パケットデータのＰＴＭ進行を一時中止すると、制御チャネルがＧＳＭサービスのために使用可能な状態となることを特徴とする請求項４に記載の移動通信端末機のパケットデータの送受信とページングの同時処理方法。
【請求項７】
前記基地局が、前記使用可能な状態の制御チャネルでＧＳＭページングを前記移動通信端末機に転送することを特徴とする請求項６に記載の移動通信端末機のパケットデータの送受信とページングの同時処理方法。
【請求項８】
前記ＧＳＭページングの受信によるＧＳＭサービスを行った後、前記移動通信端末機が、前記パケットデータのＰＴＭ進行を再開することを特徴とする請求項７に記載の移動通信端末機のパケットデータの送受信とページングの同時処理方法。
【請求項９】
前記パケットデータのＰＴＭサービスタイムフレームに前記ＧＰＲＳ一時中止セグメントを挿入するか否か決定する方法が、
前記パケットデータの応用プログラムの種類に応じて、開発者が予め決定する方法と、
前記パケットデータの応用プログラムの種類に応じて、ユーザが決定する方法と、
前記パケットデータをアップロード又はダウンロードするときに、前記パケットデータのサイズ情報とネットワーク状態情報に基づいて、ユーザ又は移動通信端末機のプロセッサが決定する方法と、
を含むことを特徴とする請求項２に記載の移動通信端末機のパケットデータの送受信とページングの同時処理方法。
【請求項１０】
前記ＰＴＭサービスタイムフレームに前記ＧＰＲＳ一時中止セグメントが挿入される応用プログラムが、電子メールプログラム、ＭＭＳプログラム、ＦＴＰプログラムを含み、前記ＰＴＭサービスタイムフレームに前記ＧＰＲＳ一時中止セグメントが挿入されない応用プログラムが、ＷＡＰ検索プログラムを含むことを特徴とする請求項９に記載の移動通信端末機のパケットデータの送受信とページングの同時処理方法。
【請求項１１】
アップロード又はダウンロードする前記パケットデータのサイズが基準サイズより大きく、ネットワークの転送速度が基準速度より小さいと、移動通信端末機のプロセッサが、前記パケットデータのＰＴＭサービスタイムフレームに前記ＧＰＲＳ一時中止セグメントを挿入することを特徴とする請求項９に記載の移動通信端末機のパケットデータの送受信とページングの同時処理方法。
【請求項１２】
パケットデータの送信又は受信中にページング信号の有無を判断する過程と、
前記ページング信号による通話接続又はメッセージの受信を行う過程と、
通話終了後又はメッセージの受信終了後、前記パケットデータの送信又は受信を再開する過程と、
を含むことを特徴とするパケットデータの送受信方法。
【請求項１３】
前記パケットデータが、電子メール応用プログラム、ＭＭＳ応用プログラム、ＦＴＰ応用プログラムのいずれか１つの応用プログラムのパケットデータを含むことを特徴とする請求項１２に記載のパケットデータの送受信方法。
【請求項１４】
ＷＡＰ検索プログラムのパケットデータを送信又は受信中には、ページング信号の有無を判断しないことを特徴とする請求項１２に記載のパケットデータの送受信方法。
【請求項１５】
アップロード又はダウンロードする前記パケットデータのサイズが基準サイズより大きく、現在のネットワークの転送速度が基準速度より小さいと、移動通信端末機のプロセッサが、前記パケットデータのアップロード又はダウンロード中にページング信号の有無を判断することを特徴とする請求項１２に記載のパケットデータの送受信方法。
【発明の詳細な説明】
【技術分野】
【０００１】
本発明は、ＮＭＯ−２（Ｎｅｔｗｏｒｋ  Ｏｐｅｒａｔｉｏｎ  Ｍｏｄｅ−２）をサポートするＧＰＲＳ（Ｇｅｎｅｒａｌ  Ｐａｃｋｅｔ  Ｒａｄｉｏ  Ｓｅｒｖｉｃｅｓ）ネットワークにおいてＧＰＲＳパケットデータを送受信中の移動通信端末機がページングを受信できる、移動通信端末機のＧＰＲＳパケットデータの送受信とページングの同時処理方法に関する。
【背景技術】
【０００２】
無線ネットワークは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式と、ＣＤＭＡ（Ｃｏｄｅ  Ｄｉｖｉｓｉｏｎ  Ｍｕｌｔｉｐｌｅ  Ａｃｃｅｓｓ）方式に二分されており、ＧＰＲＳは、ＧＳＭのアクセス網にデータパケットサポート機能などを加えて提供されるパケット交換データサービスである。
【０００３】
ＧＰＲＳネットワークは、既存に設置されたＧＳＭ装備との連動・互換性を維持するためのネットワーク運営方法として、ＮＭＯ−１、ＮＭＯ−２、ＮＭＯ−３の３つの音声／データチャネル連動方法を提案している。
【０００４】
ＮＭＯ−１において、移動通信端末機は、ＣＣＣＨ（Ｃｏｍｍｏｎ  Ｃｏｎｔｒｏｌ  ＣＨａｎｎｅｌ；ＧＳＭ用制御チャネル）とＰＣＣＣＨ（Ｐａｃｋｅｔ  Ｃｏｍｍｏｎ  Ｃｏｎｔｒｏｌ  ＣＨａｎｎｅｌ；ＧＰＲＳ用制御チャネル）のいずれか１つだけアクティブになっていても、ＧＳＭページングとＧＰＲＳページングの両方を受信することができ、音声交換サービスとＧＰＲＳパケットデータサービスを同時に受けることができる。
【０００５】
ＮＭＯ−２において、移動通信端末機は、ＣＣＣＨでＧＳＭページングとＧＰＲＳページングを受信することができるが、ＧＰＲＳパケットデータサービスのためにＣＣＣＨを使用中であると、ＧＳＭページングを受信することができないため、音声交換サービスとＧＰＲＳパケットデータサービスを同時に受けることができなくなる。
【０００６】
ＮＭＯ−３において、移動通信端末機は、ＣＣＣＨでＧＳＭページングを受信し、ＰＣＣＣＨでＧＰＲＳページングを受信することができるが、音声交換サービスとＧＰＲＳパケットデータサービスのいずれか１つを設定するためには、他の１つのサービスのための接続を解除しなければならず、２つのチャネルをモニタし続けなければならないため、無線資源を効率的に管理することができず、移動通信端末機の電力消耗が増加する。
【０００７】
近年、ＧＰＲＳネットワークとしては、このような３つのネットワーク運営方法のうち、主にＮＭＯ−２方式で運営されている。
【０００８】
ＮＭＯ−２をサポートするＧＰＲＳネットワークは、ＧＳＭ用ページング受信チャネルであるＣＣＣＨを用いて、ＧＳＭページングとＧＰＲＳページングを移動通信端末機に送信する。それゆえ、移動通信端末機は、常にＣＣＣＨをアクティブにしてＧＳＭページング又はＧＰＲＳページングの受信を待機する。
【０００９】
移動通信端末機が遊休状態においてＣＣＣＨでＧＳＭページングを受信すると、以後、移動通信端末機は、ＣＣＣＨを音声通話制御用に使用する。音声通話においては、開始から終了まで継続して音声送受信が行われるため、ＣＣＣＨは、音声通話のためにのみ使用され、ＧＰＲＳパケットデータサービスのためには使用されない。また、移動通信端末機は、ＧＰＲＳパケットデータサービスのためのパケット送受信（Ｐａｃｋｅｔ  Ｔｒａｎｓｆｅｒ  Ｍｏｄｅ；ＰＴＭ）の進行中にはＣＣＣＨを占有して使用するため、ＧＳＭ音声通話サービスのためには使用されない。
【００１０】
図３はＮＭＯ−２をサポートするＧＰＲＳネットワークにおいて移動通信端末機がＧＳＭページングを受信する一般的な方法を示す。
【００１１】
第２移動通信端末機が第１移動通信端末機に音声呼を発信すると（Ｓ１１）、ネットワークは、第１移動通信端末機のＣＣＣＨが使用可能であるか否か確認する（Ｓ１２）。第１移動通信端末機がＧＰＲＳパケットデータを送受信中であり、パケットデータの送受信のためにＣＣＣＨを使用中であると（Ｓ１３）、ネットワークは、第１移動通信端末機のＣＣＣＨが使用不可能な状態であると判断し、第１移動通信端末機が音声呼を着信できない状態であることを第２移動通信端末機に通知する（Ｓ１４）。従って、ＧＰＲＳパケットデータを送信又は受信中の第１移動通信端末機は、既にＣＣＣＨを使用中であるため、ＧＳＭページングを受信することができない。
【００１２】
また、第１移動通信端末機がＧＳＭ音声通話中であると、ＣＣＣＨが音声通話のために既に使用されているので、ネットワークは、第１移動通信端末機にＧＳＭページングを送信することができず、これにより、第１移動通信端末機は、ＧＳＭページングを受信することができない。
【００１３】
一方、第１移動通信端末機のＷＡＰ検索サービスが完全に終了した状態ではないが、検索データの受信が完了し、受信された検索データを第１移動通信端末機のユーザが読んでいる場合について説明する。この場合、第１移動通信端末機は、ＷＡＰ検索サービスが完全に終了した状態でないため、ＧＰＲＳアクティブ状態（ＧＰＲＳパケットデータサービスのためのセッションがアクティブになった状態）が維持されており、パケットデータの送受信状態でないため、ＣＣＣＨは、ＧＳＭページング受信のために使用可能な状態となる（Ｓ１５）。
【００１４】
第２移動通信端末機が第１移動通信端末機に音声呼を発信すると（Ｓ１６）、ネットワークは、第１移動通信端末機のＣＣＣＨが使用可能であるか否か確認する。第１移動通信端末機のＣＣＣＨが使用可能な状態であると判断されると、ネットワークは、ＧＳＭページングをＣＣＣＨで第１移動通信端末機に送信する（Ｓ１７）。
【００１５】
すると、第１移動通信端末機は、ＧＰＲＳパケットデータの送受信を一時中止し、ＧＳＭページングに応答して第２移動通信端末機と音声通話を行う（Ｓ１８、Ｓ１９）。音声通話が終了した後、第１移動通信端末機は、一時中止したＷＡＰ検索サービスを再開する（Ｓ２０）。
【００１６】
最近の移動通信端末機は、マルチメディア機能のサポートが重視されているため、音声、映像、テキストなどが複合したマルチメディアメッセージの転送の比重が大きくなっている。このようなマルチメディアメッセージは、ショートメッセージよりサイズが大きいためメッセージ送受信時間が長い。一般に、ＮＭＯ−２をサポートするＧＰＲＳネットワークにおいて、移動通信端末機は、マルチメディアメッセージ送受信中には相手のＧＳＭ呼を着信することができない。特に、送受信されているメッセージのサイズが非常に大きい場合、メッセージ送受信時間が長くなって、緊急の電話がかかってきても移動通信端末機がＧＳＭページングを受信することができないため、移動通信端末機は相手とＧＳＭ音声通話をすることができないという問題があった。
【発明の開示】
【発明が解決しようとする課題】
【００１７】
本発明は、このような従来技術の問題を解決するためになされたもので、ＮＭＯ−２をサポートするＧＰＲＳネットワークにおいてＧＰＲＳパケットデータを送受信中の移動通信端末機がＧＳＭページングを受信できる、移動通信端末機のＧＰＲＳパケットデータの送受信とページングの同時処理方法を提供することを目的とする。
【課題を解決するための手段】
【００１８】
このような目的を達成するために、本発明による移動通信端末機のパケットデータの送受信とページングの同時処理方法は、パケットデータの送受信をサポートする移動通信端末機において、パケットデータの送受信中、特定セグメントを周期的に挿入して、前記特定セグメント区間でパケットデータの送受信を一時中止し、基地局からのページングを受信することを特徴とする。
【００１９】
前記特定セグメントは、ＧＰＲＳ一時中止（ｓｕｓｐｅｎｄ）セグメントを含み、前記パケットデータの送受信は、ＰＴＭサービスタイムフレームを用いて行われることを特徴とする。
【００２０】
また、本発明によるパケットデータの送受信方法は、パケットデータの送信又は受信中にページング信号の有無を判断する過程と、前記ページング信号による通話接続又はメッセージの受信を行う過程と、通話終了後又はメッセージの受信終了後、前記パケットデータの送信又は受信を再開（ｒｅｓｕｍｅ）する過程とを含むことを特徴とする。
【００２１】
さらに、本発明による移動通信端末機のＧＰＲＳパケットデータの送受信とページングの同時処理方法は、ＧＰＲＳ一時中止セグメント機能の実行が要求されるか否か判断する過程と、ＧＰＲＳ一時中止セグメント機能の実行が要求されると判断されると、ＰＴＭ進行単位時間の間、ＧＰＲＳパケットデータのＰＴＭを進行する過程と、前記ＰＴＭ進行単位時間が経過すると、ＧＰＲＳ一時中止命令を用いてＰＴＭ進行を一時中止する過程と、ＰＴＭの進行が一時中止されている間、制御チャネルでＧＳＭページングが受信されたか否か確認する過程と、ＧＳＭページングが受信されていると、ＧＳＭサービスを行った後、ＧＰＲＳ再開命令を用いてＰＴＭ進行を再開する過程と、前記ＧＰＲＳ一時中止セグメント区間で、前記ＧＳＭページングが受信されないと、ＧＰＲＳ再開命令を用いてＰＴＭ進行を再開する過程とを含むことを特徴とする。
【００２２】
上記目的を達成するために、本発明は、例えば、以下の手段を提供する。
（項目１）
パケットデータの送受信をサポートする移動通信端末機において、
パケットデータの送受信中、特定セグメントを周期的に挿入して、前記特定セグメント区間でパケットデータの送受信を一時中止し、基地局からのページングを受信することを特徴とする移動通信端末機のパケットデータの送受信とページングの同時処理方法。
（項目２）
前記特定セグメントが、ＧＰＲＳ一時中止セグメントを含み、前記パケットデータの送受信が、ＰＴＭサービスタイムフレームを用いて行われることを特徴とする項目１に記載の移動通信端末機のパケットデータの送受信とページングの同時処理方法。
（項目３）
前記パケットデータの送受信中の特定セグメントの挿入が、前記ＧＰＲＳ一時中止セグメントを前記ＰＴＭサービスタイムフレームに挿入することを示すことを特徴とする項目２に記載の移動通信端末機のパケットデータの送受信とページングの同時処理方法。
（項目４）
前記ＧＰＲＳ一時中止セグメントを前記ＰＴＭサービスタイムフレームに挿入する方法が、
ＰＴＭ進行単位時間が経過すると、ＧＰＲＳ一時中止命令を用いて前記パケットデータのＰＴＭ進行を一時中止し、ＧＰＲＳ一時中止タイマを駆動する過程と、
前記特定セグメント区間が経過すると、ＧＰＲＳ再開命令を用いて前記パケットデータのＰＴＭ進行を再開する過程と、
を含むことを特徴とする項目３に記載の移動通信端末機のパケットデータの送受信とページングの同時処理方法。
（項目５）
前記パケットデータの送受信のためのＰＴＭサービスタイムフレームが、前記ＰＴＭ進行単位時間の間に前記ＧＰＲＳ一時中止セグメント区間を含み、前記ＰＴＭ進行単位時間が、前記ＧＰＲＳ一時中止セグメント区間より大きいことを特徴とする項目４に記載の移動通信端末機のパケットデータの送受信とページングの同時処理方法。
（項目６）
前記パケットデータのＰＴＭ進行を一時中止すると、制御チャネルがＧＳＭサービスのために使用可能な状態となることを特徴とする項目４に記載の移動通信端末機のパケットデータの送受信とページングの同時処理方法。
（項目７）
前記基地局が、前記使用可能な状態の制御チャネルでＧＳＭページングを前記移動通信端末機に転送することを特徴とする項目６に記載の移動通信端末機のパケットデータの送受信とページングの同時処理方法。
（項目８）
前記ＧＳＭページングの受信によるＧＳＭサービスを行った後、前記移動通信端末機が、前記パケットデータのＰＴＭ進行を再開することを特徴とする項目７に記載の移動通信端末機のパケットデータの送受信とページングの同時処理方法。
（項目９）
前記パケットデータのＰＴＭサービスタイムフレームに前記ＧＰＲＳ一時中止セグメントを挿入するか否か決定する方法が、
前記パケットデータの応用プログラムの種類に応じて、開発者が予め決定する方法と、
前記パケットデータの応用プログラムの種類に応じて、ユーザが決定する方法と、
前記パケットデータをアップロード又はダウンロードするときに、前記パケットデータのサイズ情報とネットワーク状態情報に基づいて、ユーザ又は移動通信端末機のプロセッサが決定する方法と、
を含むことを特徴とする項目２に記載の移動通信端末機のパケットデータの送受信とページングの同時処理方法。
（項目１０）
前記ＰＴＭサービスタイムフレームに前記ＧＰＲＳ一時中止セグメントが挿入される応用プログラムが、電子メールプログラム、ＭＭＳプログラム、ＦＴＰプログラムを含み、前記ＰＴＭサービスタイムフレームに前記ＧＰＲＳ一時中止セグメントが挿入されない応用プログラムが、ＷＡＰ検索プログラムを含むことを特徴とする項目９に記載の移動通信端末機のパケットデータの送受信とページングの同時処理方法。
（項目１１）
アップロード又はダウンロードする前記パケットデータのサイズが基準サイズより大きく、ネットワークの転送速度が基準速度より小さいと、移動通信端末機のプロセッサが、前記パケットデータのＰＴＭサービスタイムフレームに前記ＧＰＲＳ一時中止セグメントを挿入することを特徴とする項目９に記載の移動通信端末機のパケットデータの送受信とページングの同時処理方法。
（項目１２）
パケットデータの送信又は受信中にページング信号の有無を判断する過程と、
前記ページング信号による通話接続又はメッセージの受信を行う過程と、
通話終了後又はメッセージの受信終了後、前記パケットデータの送信又は受信を再開する過程と、
を含むことを特徴とするパケットデータの送受信方法。
（項目１３）
前記パケットデータが、電子メール応用プログラム、ＭＭＳ応用プログラム、ＦＴＰ応用プログラムのいずれか１つの応用プログラムのパケットデータを含むことを特徴とする項目１２に記載のパケットデータの送受信方法。
（項目１４）
ＷＡＰ検索プログラムのパケットデータを送信又は受信中には、ページング信号の有無を判断しないことを特徴とする項目１２に記載のパケットデータの送受信方法。
（項目１５）
アップロード又はダウンロードする前記パケットデータのサイズが基準サイズより大きく、現在のネットワークの転送速度が基準速度より小さいと、移動通信端末機のプロセッサが、前記パケットデータのアップロード又はダウンロード中にページング信号の有無を判断することを特徴とする項目１２に記載のパケットデータの送受信方法。
【発明の効果】
【００２３】
本発明は、応用プログラムの種類に応じて、ＰＴＭサービスタイムフレームにＧＰＲＳ一時中止セグメント区間を挿入するか否か決定できるという効果がある。
【００２４】
また、本発明は、ダウンロード又はアップロードするパケットデータのサイズと転送ネットワークの状態によって、ＰＴＭサービスタイムフレームにＧＰＲＳ一時中止セグメント区間を挿入するか否か決定できるという効果がある。
【００２５】
さらに、本発明は、ＰＴＭサービスタイムフレームにＧＰＲＳ一時中止セグメント区間を周期的に挿入し、ＰＴＭ進行単位時間にはＧＰＲＳパケットデータを送受信し、ＧＰＲＳ一時中止セグメント区間ではＧＳＭページングを受信してＧＳＭサービスを行えるようにすることにより、ＮＭＯ−２をサポートするＧＰＲＳネットワークにおいて移動通信端末機がＧＰＲＳサービスとＧＳＭサービスを同時に処理できるという効果がある。
【発明を実施するための最良の形態】
【００２６】
本発明は、ＮＭＯ−２をサポートするＧＰＲＳネットワークにおいて移動通信端末機がＧＰＲＳパケットデータの送受信を所定時間間隔で一時中止し、一時中止された期間の間、ＣＣＣＨでＧＳＭページングを受信することにより、サイズの大きいマルチメディアメッセージの長い送受信期間にも移動通信端末機がＧＳＭ呼を着信できるようにする。
【００２７】
以下、添付した図面を参照して本発明の好ましい実施形態を説明する。
【００２８】
図１は本発明による移動通信端末機のＧＰＲＳ一時中止セグメント機能の実行による１つのＧＰＲＳパケットデータサービスのＰＴＭサービスタイムフレームを示す。
【００２９】
１つのＧＰＲＳパケットデータサービスのＰＴＭサービスタイムフレームは、ＰＴＭ進行のためのＰＴＭ進行単位時間（ｘ秒）と、ＰＴＭ進行を一時中止し、ＧＳＭページングの受信を待機するためのＧＳＭページング受信待機単位時間（ｙ秒；ＧＰＲＳ一時中止セグメント）とを含む。前記ＧＳＭページング受信待機単位時間は、移動通信端末機がＧＰＲＳ一時中止命令を用いてパケットデータのＰＴＭ進行を一時中止した後、ＧＰＲＳ再開命令を用いてパケットデータのＰＴＭ進行を再開することにより、所定周期ごとに挿入される。前記ＰＴＭ進行単位時間（ｘ秒）と前記ＧＳＭページング受信待機単位時間（ｙ秒）との配分においては、ＰＴＭ進行単位時間にさらに多くの時間を割り当てて、ＧＳＭページング受信待機単位時間によりパケットデータの送受信に加えられる影響を減らす。
【００３０】
これにより、移動通信端末機がサイズの大きいマルチメディアメッセージを送信又は受信中であっても、移動通信端末機は、ＧＰＲＳ一時中止セグメント区間で、ＳＭＳ受信、音声呼着信などを全て行うことができる。
【００３１】
このようなＧＰＲＳ一時中止セグメント機能は、移動通信端末機が提供する応用プログラムによって、開発者が予め固定的に設定することもでき、ユーザが設定することもできる。前記応用プログラムがＷＡＰ検索プログラムの場合、ＧＰＲＳパケットデータのＰＴＭは短時間に行われ、ユーザが検索されたパケットデータを読むのに多くの時間がかかるときは、ＧＰＲＳ一時中止セグメント機能が設定されない。前記応用プログラムが電子メールプログラム、ＭＭＳ（Ｍｕｌｔｉｍｅｄｉａ  Ｍｅｓｓａｇｅ  Ｓｅｒｖｉｃｅ）プログラム、ＦＴＰ（Ｆｉｌｅ  Ｔｒａｎｓｆｅｒ  Ｐｒｏｔｏｃｏｌ）プログラムなどの場合、ＧＰＲＳ一時中止セグメント機能が設定される。
【００３２】
また、ＧＰＲＳ一時中止セグメント機能は、サーバから所望のパケットデータをダウンロードするとき、又はサーバに所望のパケットデータをアップロードするときに、そのパケットデータのサイズ情報とネットワーク状態情報に基づいて設定することができる。前記ネットワーク状態情報は、ネットワークの転送速度などを含む。例えば、所望のパケットデータのサイズが基準サイズより大きく、現在のネットワークの転送速度が基準転送速度より小さいと、移動通信端末機（例えば、プロセッサ）は、ＧＰＲＳ一時中止セグメント機能が必要であると判断し、自動的にＧＰＲＳ一時中止セグメント機能を実行する。また、移動通信端末機は、所望のパケットデータのサイズ情報とネットワーク状態情報をユーザに表示し、ユーザの選択によってＧＰＲＳ一時中止セグメント機能を実行するか否か決定することもできる。
【００３３】
図２は本発明による移動通信端末機のＧＰＲＳパケットデータの送受信とページングの同時処理方法を示す。
【００３４】
ＧＰＲＳパケットデータの送信又は受信（ＰＴＭ）の要求が受信されると（Ｓ３１）、移動通信端末機は、ＧＰＲＳ一時中止セグメント機能の実行が要求されるか否か確認する（Ｓ３２）。例えば、開発者によりＧＰＲＳ一時中止セグメント機能がデフォルトで設定されている応用プログラムのパケットデータのＰＴＭが要求されると、移動通信端末機は、ＧＰＲＳ一時中止セグメント機能の実行が要求されると判断する。または、ユーザによりＧＰＲＳ一時中止セグメント機能が設定されている応用プログラムのパケットデータのＰＴＭが要求されると、移動通信端末機は、ＧＰＲＳ一時中止セグメント機能の実行が要求されると判断する。または、所望のパケットデータをサーバからダウンロードするときに、移動通信端末機自体の判断又はユーザの要求により、ＧＰＲＳ一時中止セグメント機能が必要になると、移動通信端末機は、ＧＰＲＳ一時中止セグメント機能の実行が要求されると判断する。
【００３５】
このように、ＧＰＲＳ一時中止セグメント機能の実行が要求されると判断されると、移動通信端末機は、前記ＧＰＲＳパケットデータのＰＴＭを進行し（Ｓ３４）、ＧＰＲＳのＣＣＣＨがｘ秒間占有されたか、すなわち、ＰＴＭ進行単位時間が経過したか否か確認する（Ｓ３５）。次に、移動通信端末機は、ＰＴＭ進行単位時間が経過していないと、ＰＴＭ進行を継続し、ＰＴＭ進行単位時間が経過していると、ＧＰＲＳ一時中止命令を用いて前記パケットデータのＰＴＭを一時中止する。パケットデータのＰＴＭが一時中止されると、ＧＰＲＳ一時中止セグメント区間（ＧＳＭページング受信待機単位時間）が開始し、このとき、ＣＣＣＨは未占有状態となる（Ｓ３６）。
【００３６】
移動通信端末機は、前記ＧＳＭページング受信待機単位時間にＧＳＭページングが受信されるか否か確認する（Ｓ３７）。前記ＧＳＭページング受信待機単位時間が経過するまで、すなわち、ＣＣＣＨがＧＳＭページング受信のためにｙ秒間占有されている間、ＧＳＭページングが受信されないと（Ｓ３７、Ｓ３８）、移動通信端末機は、ＧＰＲＳ再開命令を用いて前記パケットデータのＰＴＭを再開し、このとき、ＧＰＲＳパケットデータのＰＴＭのために、ＣＣＣＨは占有状態となる（Ｓ４０）。
【００３７】
それに対して、前記ＧＳＭページング受信待機単位時間にＧＳＭページングが受信されると、移動通信端末機は、ＧＳＭサービス（例えば、ＧＳＭ音声通話サービス、ＳＭＳ受信）を行った後（Ｓ３８）、前記段階Ｓ４０に進む。
【００３８】
次に、移動通信端末機は、前記ＧＰＲＳパケットデータのＰＴＭが完了したか否か確認し（Ｓ４１）、前記ＧＰＲＳパケットデータのＰＴＭが完了していないと、段階Ｓ３４に進み、前記ＧＰＲＳパケットデータのＰＴＭが完了していると、ＧＰＲＳパケットデータサービスを終了する。
【００３９】
一方、前記段階Ｓ３２で、ＰＴＭが要求されたＧＰＲＳパケットデータにＧＰＲＳ一時中止セグメント機能の実行が要求されないと判断されると、移動通信端末機は、ＧＰＲＳパケットデータサービスのＰＴＭサービスタイムフレームにＧＰＲＳ一時中止セグメント区間を挿入せずにＰＴＭを実行する（Ｓ３３）。
【００４０】
従って、ＮＭＯ−２をサポートするＧＰＲＳネットワークにおいて、本発明による移動通信端末機は、ＰＴＭサービスタイムフレームにＧＰＲＳ一時中止セグメントを周期的に挿入し、サイズの大きいＧＰＲＳパケットデータの送受信時にもＧＳＭページングを受信することができる。
【００４１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４２】
ＰＴＭサービスタイムフレームにＧＰＲＳ一時中止セグメント区間を周期的に挿入し、ＰＴＭ進行単位時間にはＧＰＲＳパケットデータを送受信し、ＧＰＲＳ一時中止セグメント区間ではＧＳＭページングを受信してＧＳＭサービスを行えるようにすることにより、ＮＭＯ−２をサポートするＧＰＲＳネットワークにおいて移動通信端末機がＧＰＲＳサービスとＧＳＭサービスを同時に処理できる、移動通信端末機のＧＰＲＳパケットデータの送受信とページングの同時処理方法を提供する。
【００４３】
移動通信端末機のパケットデータの送受信とページングの同時処理方法は、パケットデータの送受信をサポートする移動通信端末機において、パケットデータの送受信中、特定セグメントを周期的に挿入して、特定セグメント区間でパケットデータの送受信を一時中止し、基地局からのページングを受信する。
【図面の簡単な説明】
【００４４】
【図１】本発明によるＰＴＭサービスタイムフレームの構造を示す図である。
【図２】本発明による移動通信端末機のＧＰＲＳパケットデータの送受信とページングの同時処理方法を示す図である。
【図３】ＮＭＯ−２をサポートするＧＰＲＳネットワークにおいて移動通信端末機がＧＳＭページングを受信する一般的な方法を示す図である。
【図１】
2006191640.tif 000003
【図２】
2006191640.tif 000004
【図３】
2006191640.tif 000005
【手続補正書】
【提出日】平成18年1月6日(2006.1.6)
【手続補正１】
【補正対象書類名】特許請求の範囲
【補正対象項目名】全文
【補正方法】変更
【補正の内容】
【特許請求の範囲】
【請求項１】
パケットデータの送受信をサポートする移動通信端末機において、
パケットデータの送受信中、特定セグメントを挿入して、前記特定セグメント区間でパケットデータの送受信を一時中止し、基地局からのページングを受信することを特徴とする移動通信端末機のパケットデータの送受信とページングの同時処理方法。
【請求項２】
前記特定セグメントが、ＧＰＲＳ一時中止セグメントを含み、前記パケットデータの送受信が、ＰＴＭサービスタイムフレームを用いて行われることを特徴とする請求項１に記載の移動通信端末機のパケットデータの送受信とページングの同時処理方法。
【請求項３】
前記パケットデータの送受信中の特定セグメントの挿入が、前記ＧＰＲＳ一時中止セグメントを前記ＰＴＭサービスタイムフレームに挿入することを示すことを特徴とする請求項２に記載の移動通信端末機のパケットデータの送受信とページングの同時処理方法。
【請求項４】
前記ＧＰＲＳ一時中止セグメントを前記ＰＴＭサービスタイムフレームに挿入する方法が、
ＰＴＭ進行単位時間が経過すると、ＧＰＲＳ一時中止命令を用いて前記パケットデータのＰＴＭ進行を一時中止し、ＧＰＲＳ一時中止タイマを駆動する過程と、
前記特定セグメント区間が経過すると、ＧＰＲＳ再開命令を用いて前記パケットデータのＰＴＭ進行を再開する過程と、
を含むことを特徴とする請求項３に記載の移動通信端末機のパケットデータの送受信とページングの同時処理方法。
【請求項５】
前記パケットデータの送受信のためのＰＴＭサービスタイムフレームが、前記ＰＴＭ進行単位時間の間に前記ＧＰＲＳ一時中止セグメント区間を含み、前記ＰＴＭ進行単位時間が、前記ＧＰＲＳ一時中止セグメント区間より大きいことを特徴とする請求項４に記載の移動通信端末機のパケットデータの送受信とページングの同時処理方法。
【請求項６】
前記パケットデータのＰＴＭ進行を一時中止すると、制御チャネルがＧＳＭサービスのために使用可能な状態となることを特徴とする請求項４に記載の移動通信端末機のパケットデータの送受信とページングの同時処理方法。
【請求項７】
前記基地局が、前記使用可能な状態の制御チャネルでＧＳＭページングを前記移動通信端末機に転送することを特徴とする請求項６に記載の移動通信端末機のパケットデータの送受信とページングの同時処理方法。
【請求項８】
前記ＧＳＭページングの受信によるＧＳＭサービスを行った後、前記移動通信端末機が、前記パケットデータのＰＴＭ進行を再開することを特徴とする請求項７に記載の移動通信端末機のパケットデータの送受信とページングの同時処理方法。
【請求項９】
前記パケットデータのＰＴＭサービスタイムフレームに前記ＧＰＲＳ一時中止セグメントを挿入するか否か決定する方法が、
前記パケットデータの応用プログラムの種類に応じて、開発者が予め決定する方法と、
前記パケットデータの応用プログラムの種類に応じて、ユーザが決定する方法と、
前記パケットデータをアップロード又はダウンロードするときに、前記パケットデータのサイズ情報とネットワーク状態情報に基づいて、ユーザ又は移動通信端末機のプロセッサが決定する方法と、
を含むことを特徴とする請求項２に記載の移動通信端末機のパケットデータの送受信とページングの同時処理方法。
【請求項１０】
前記ＰＴＭサービスタイムフレームに前記ＧＰＲＳ一時中止セグメントが挿入される応用プログラムが、電子メールプログラム、ＭＭＳプログラム、ＦＴＰプログラムを含み、前記ＰＴＭサービスタイムフレームに前記ＧＰＲＳ一時中止セグメントが挿入されない応用プログラムが、ＷＡＰ検索プログラムを含むことを特徴とする請求項９に記載の移動通信端末機のパケットデータの送受信とページングの同時処理方法。
【請求項１１】
アップロード又はダウンロードする前記パケットデータのサイズが基準サイズより大きく、ネットワークの転送速度が基準速度より小さいと、移動通信端末機のプロセッサが、前記パケットデータのＰＴＭサービスタイムフレームに前記ＧＰＲＳ一時中止セグメントを挿入することを特徴とする請求項９に記載の移動通信端末機のパケットデータの送受信とページングの同時処理方法。
【請求項１２】
パケットデータの送信又は受信中にページング信号の有無を判断する過程と、
前記ページング信号による通話接続又はメッセージの受信を行う過程と、
通話終了後又はメッセージの受信終了後、前記パケットデータの送信又は受信を再開する過程と、
を含むことを特徴とするパケットデータの送受信方法。
【請求項１３】
前記パケットデータが、電子メール応用プログラム、ＭＭＳ応用プログラム、ＦＴＰ応用プログラムのいずれか１つの応用プログラムのパケットデータを含むことを特徴とする請求項１２に記載のパケットデータの送受信方法。
【請求項１４】
ＷＡＰ検索プログラムのパケットデータを送信又は受信中には、ページング信号の有無を判断しないことを特徴とする請求項１２に記載のパケットデータの送受信方法。
【請求項１５】
アップロード又はダウンロードする前記パケットデータのサイズが基準サイズより大きく、現在のネットワークの転送速度が基準速度より小さいと、移動通信端末機のプロセッサが、前記パケットデータのアップロード又はダウンロード中にページング信号の有無を判断することを特徴とする請求項１２に記載のパケットデータの送受信方法。